(57)【要約】      （修正有）【課題】きものに不慣れな初心者でも特定の位置に絵柄が現れるように帯を着用することができ、また、様々なデザインの帯を安価で気軽に楽しむことができ、さらに、１本の帯で様々なデザインを気軽に楽しむことができる「着せ替え帯」を提供する。【解決手段】帯本体に被せて使用する着せ替え帯であり、身体に巻き付けた帯本体の胴部分に被せる胴部分用カバーと、身体に巻き付けた帯本体のお太鼓部分に被せるお太鼓部分用カバーと、を有し、身体に装着した帯本体に対して着脱自在に構成されている。着せ替え帯の片面または両面には、所定位置に所望の柄が描かれている。１本の帯本体に対して着せ替え帯を付け替えることで、様々なデザインの帯を気軽に楽しむことが可能になる。【選択図】図２
0003197957.tif 000002
【実用新案登録請求の範囲】
【請求項１】
きものを身体に固定する帯本体に被せて使用する着せ替え帯であって、
身体に巻き付けた帯本体の胴部分に被せる胴部分用カバーと、
身体に巻き付けた帯本体のお太鼓部分に被せるお太鼓部分用カバーと、
を有しており、身体に装着した帯本体に対して着脱自在に構成された着せ替え帯。
【請求項２】
前記胴部分用カバーは、帯本体の胴部分をカバーした状態で固定するための固定手段を具備し、
お太鼓部分用カバーは、帯本体のお太鼓部分をカバーした状態で固定するための固定手段を具備している、ことを特徴とする請求項１に記載の着せ替え帯。
【請求項３】
着用した状態で帯本体の胴部分の所定位置上に所望の柄が現れるように、前記胴部分用カバーに前記所望の柄が描かれている、ことを特徴とする請求項１に記載の着せ替え帯。
【請求項４】
着用した状態で帯本体のお太鼓部分の所定位置上に所望の柄が現れるように、前記お太鼓部分用カバーに前記所望の柄が描かれている、ことを特徴とする請求項１に記載の着せ替え帯。
【請求項５】
前記所望の柄は、着せ替え帯の片面または両面に描かれている、ことを特徴とする請求項３又は４に記載の着せ替え帯。
【考案の詳細な説明】
【技術分野】
【０００１】
本考案は、和服である「きもの（着物）」を着用する際に用いる帯に関するものであり、特に、１つの帯で様々な柄や色彩を楽しむことができる着せ替え自在のきもの用帯に関するものである。
【背景技術】
【０００２】
近年、日本の伝統的衣裳である「きもの（着物）」の良さが見直され始めており、特に、女性の間で「きもの」の人気が高まってきている。
【０００３】
きものを着用する際には、きものを身体に固定する装身具として「帯」が用いられる。きものの印象は帯で決まると言われており、古くから様々なデザインの帯が提供されている。
【０００４】
しかしながら「きものの帯結び」は、不慣れな者にとって容易ではなく、特に、帯の正面やお太鼓部分に特定の絵柄が現れるように帯を結べるようになるためには、ある程度の練習が必要であった。
【０００５】
また、きものの帯は高価なものが少なくなく、きものを着始めた初心者等にとって、様々なデザインの帯を気軽に楽しむことができなかった。
【０００６】
また、きものを愛用する女性が、旅行等で数日にわたって外出する場合、デザインの異なる複数の帯を持参することがある。しかしながら、きもの帯は１本１本が大きくて重たく嵩張るため、複数の帯を持参して外出すると、荷物が嵩張って移動の妨げになるといった問題があった。
【考案の概要】
【考案が解決しようとする課題】
【０００７】
上述した問題点に鑑み、本考案の目的は、きものに不慣れな初心者でも特定の位置に絵柄が現れるように帯を着用することができ、また、様々なデザインの帯を安価で気軽に楽しむことができ、さらに、１本の帯で様々なデザインを気軽に楽しむことができる「着せ替え帯」を提供することにある。
【課題を解決するための手段】
【０００８】
上記目的は、きものを身体に固定する帯本体に被せて使用する着せ替え帯であって、身体に巻き付けた帯本体の胴部分に被せるための胴部分用カバーと、身体に巻き付けた帯本体のお太鼓部分に被せるためのお太鼓部分用カバーと、を有しており、身体に装着した帯本体に対して着脱自在に構成された着せ替え帯によって達成される。
【０００９】
この着せ替え帯において、前記胴部分用カバーは、帯本体の胴部分をカバーした状態で該帯本体に対して固定するための固定手段を具備し、お太鼓部分用カバーは、帯本体のお太鼓部分をカバーした状態で該帯本体に対して固定するための固定手段を具備している。
【００１０】
また、この着せ替え帯では、着用した状態で帯本体の胴部分の所定位置上に所望の柄が位置するように、前記胴部分用カバーに前記所望の柄が描かれている。
【００１１】
また、この着せ替え帯では、着用した状態で帯本体のお太鼓部分の所定位置上に所望の柄が位置するように、前記お太鼓部分用カバーに前記所望の柄が描かれている。
【００１２】
また、この着せ替え帯において、前記所望の柄は、着せ替え帯の片面または両面に描かれている。
【考案の効果】
【００１３】
本考案の着せ替え帯は、身体に巻き付けた帯本体（従来の帯に相当）の胴部分に被せる「胴部分用カバー」と、身体に巻き付けた帯本体のお太鼓部分に被せる「お太鼓部分用カバー」とを有しており、身体に装着した帯本体に対して着脱自在に構成されている。このような着せ替え帯を、１本の帯本体（従来の帯に相当）に対して着せ替えることで、実質的に、１本の帯で様々なデザインの帯を気軽に楽しむことが可能になる。
【００１４】
また、従来の帯に相当する「帯本体」を１本持っていれば、様々なデザインに着せ替えることができるので、例えば数日にわたって外出する場合などでも、嵩張る帯を複数本持ち歩く必要がないので、移動の妨げにならない。
【００１５】
また、本考案の着せ替え帯は、帯本体に対して着せ替え可能に構成されているので、高価な帯を何本も購入することなく、様々なデザインの帯を気軽に楽しむことが可能になる。また、着せ替え可能に構成することで、帯本体（従来の帯に相当）の汚れを防止するためのカバーとして利用することもできる。
【００１６】
また、使わなくなったスカーフなどを本考案の着せ替え帯に仕立てることで、不要な衣類をリユースすることができ、また、他の衣類等のデザインや好みのデザインを気軽に帯に転用することができる。
【００１７】
また、本考案の着せ替え帯によれば、着用した状態で帯本体の胴部分の所定位置上に所望の柄が現れるように、胴部分用カバーに所望の柄が描かれている。また、着用した状態で帯本体のお太鼓部分の所定位置上に所望の柄が現れるように、お太鼓部分用カバーに所望の柄が描かれている。
このような特徴により、帯結びに不慣れな初心者でも、簡単かつ確実に、所望の絵柄を帯上の所定位置（例えば帯の正面やお太鼓部分など）に現出させることができる。
【００１８】
また、本考案の着せ替え帯では、胴部分用カバーはマジックテープ（登録商標）などの固定手段を具備し、また、お太鼓部分用カバーは紐などの固定手段を具備している。したがって、着用した着せ替え帯がズレたり落ちたりしないように、該着せ替え帯を確りと固定することができる。
【００１９】
また、本考案の着せ替え帯では、着せ替え帯の片面側に所望の柄が描かれており、また、両面側に所望の柄が描くこともできる。着せ替え帯の両面に絵柄を描くことで、リバーシブルの着せ替え帯を提供することができる。
【図面の簡単な説明】
【００２０】
【図１】本考案に係る着せ替え帯の概略構成を示す平面図である。
【図２】本考案に係る着せ替え帯の使用例を示す図である。
【考案を実施するための形態】
【００２１】
本考案は、きものを身体に固定する帯本体に被せて使用する「着せ替え帯」に関するものである。帯本体とは、きものを着用する際に従来から用いられている「帯」を指す構成であり、この出願では、着せ替え帯との区別を明確にするために便宜上「帯本体」と称している。
【００２２】
（着せ替え帯の構成）
本考案の着せ替え帯は、きものを身体に固定している帯本体（従来の帯に相当）に対して、着脱自在に構成されている。
【００２３】
この着せ替え帯は、添付図面に示すとおり、
・身体に巻き付けた帯本体の胴部分に被せる胴部分用カバーと、
・身体に巻き付けた帯本体のお太鼓部分に被せるお太鼓部分用カバーと、
を有している。
【００２４】
帯本体の「胴部分」とは、帯本体の一部であって、きもの装着者の胴部分（胴の周囲）に巻き付けられた部分を指している。
帯本体の「お太鼓部分」とは、帯本体の一部であって、帯を結び上げたときに背中に形成される、太鼓の胴のようにふくらませた部分を指している。
【００２５】
着せ替え帯の一部である「胴部分用カバー」は、帯本体の胴部分をカバーした状態で該帯本体に対して固定するための固定手段を具備している。本実施形態では、この固定手段は、一例としてマジックテープ（登録商標）で構成されている。
着せ替え帯の一部である「お太鼓部分用カバー」は、帯本体のお太鼓部分をカバーした状態で該帯本体に対して固定するための固定手段を具備している。本実施形態では、この固定手段は、一例として紐で構成されている。
【００２６】
「胴部分用カバー」には所望の柄が描かれている。この柄は、着用した状態で帯本体の胴部分の所定位置上（例えば胴部分の正面）に現れるように、あらかじめ定めた位置に描かれている。
また「お太鼓部分用カバー」にも所望の柄が描かれている。この柄は、着用した状態で帯本体のお太鼓部分の所定位置上（例えばお太鼓部分の真ん中）に現れるように、あらかじめ定めた位置に描かれている。
例えば、図２に例示する実施形態では、象の絵柄がお太鼓部分の真ん中に現出するように、着せ替え帯の「お太鼓部分用カバー」に当該象の絵柄が描かれている。
【００２７】
なお、本実施形態において、着せ替え帯に描かれる柄は、着せ替え帯の片面側に描かれているが、このような柄を両面側に描いて着せ替え帯をリバーシブルに構成してもよい。
【００２８】
（着せ替え帯の使用例）
上述した構成の着せ替え帯の使用方法を、図２に例示する。
【００２９】
はじめに図２(a)に示すように、きもの装着者は、従来の帯と同様に、帯本体を胴周りに巻き付けるとともに、背中にお太鼓部分が形成されるように該帯本体を結び上げる。
【００３０】
続いて図２(b)-(e)に示すように、着せ替え帯の「お太鼓部分用カバー」を、帯本体のお太鼓部分に被せる。その際、はじめに図２(b)に示すように、お太鼓部分用カバーに付属する紐を胴に巻き付ける。この紐は、外から見えないように、帯本体の内側に挿し込む。また、帯本体がカバーからはみ出ないように、かつ、お太鼓部分用カバーが垂れ下がらないように、カバーを帯本体の折り目に沿って折り込むようにしてお太鼓部分に被せる。
【００３１】
また図２(f)に示すように、着せ替え帯の「胴部分用カバー」を、帯本体の胴部分の上に巻き付けるようにして被せる。胴部分に巻き付けた胴部分用カバーは、固定手段であるマジックテープ（登録商標）によって連結して固定する。
【図１】
0003197957.tif 000003
【図２】
0003197957.tif 000004